(57)【要約】【課題】接続されているリムーバブルメディアを容易に識別する。【解決手段】ＵＳＢホストコントローラ１６０を介して、ＵＳＢリーダ／ライタ１８０に接続されたリムーバブルメディアＡ（３００）乃至Ｄ（６００）のそれぞれから、ルート直下の記録位置に記録されているメディア情報ファイルが読み出されるとともに、このメディア情報ファイルに記録されているファイルパスからアイコンファイルが読み出される。画像描画処理部１４０は、読み出されたメディア情報ファイルに記録されている内容に基づいて文字列を描画するとともに、アイコンファイルに記録されているアイコン画像に基づいてアイコンを描画する。画像表示部１５０は、描画された文字列およびアイコンを接続メディア一覧画面に表示する。リムーバブルメディアＡ（３００）乃至Ｄ（６００）の外装には、アイコンと略同一の画像が描かれる。【選択図】図１
2008263389.tif 000002
【特許請求の範囲】
【請求項１】
記録媒体と接続するための接続手段と、
前記接続手段を介して接続された記録媒体における所定の記録位置から当該記録媒体に関する表示情報を読み出す情報読出手段と、
前記読み出された表示情報に基づいて当該表示情報が記録されている記録媒体に対応する識別表示を描画する描画手段と
を具備することを特徴とする画像処理装置。
【請求項２】
前記所定の記録位置は、前記記録媒体における階層構造のうちの最上位階層に対応する記録位置である
ことを特徴とする請求項１記載の画像処理装置。
【請求項３】
前記記録媒体における所定の記録位置に記録されている表示情報を書き換える旨の操作入力を受け付ける操作受付手段と、
前記表示情報を書き換える旨の操作入力が受け付けられた場合には当該操作入力に応じて当該表示情報を書き換える表示情報書換手段とをさらに具備する
ことを特徴とする請求項１記載の画像処理装置。
【請求項４】
前記描画手段は、前記読み出された表示情報に基づいて当該表示情報が記録されている記録媒体に対応する文字列を描画する
ことを特徴とする請求項１記載の画像処理装置。
【請求項５】
前記情報読出手段は、前記接続手段を介して接続された記録媒体における所定の記録位置から前記表示情報を読み出すとともに当該表示情報に含まれる位置情報に対応する記録位置から当該記録媒体に対応する画像情報を読み出し、
前記描画手段は、前記読み出された画像情報に基づいて当該画像情報が記録されている記録媒体に対応する画像を描画する
ことを特徴とする請求項１記載の画像処理装置。
【請求項６】
前記表示情報に含まれる位置情報に対応する記録位置に記録されている画像情報を書き換える旨の操作入力を受け付ける操作受付手段と、
前記画像情報を書き換える旨の操作入力が受け付けられた場合には当該操作入力に応じて当該画像情報を書き換える画像情報書換手段とをさらに具備する
ことを特徴とする請求項５記載の画像処理装置。
【請求項７】
前記描画手段は、前記読み出された表示情報に基づいて当該表示情報が記録されている記録媒体に対応する文字列を当該記録媒体に係る画像に対応させて描画する
ことを特徴とする請求項５記載の画像処理装置。
【請求項８】
前記読み出された画像情報に基づいて描画される画像は、当該画像情報が記録されている記録媒体に対応するアイコン、カーソル、背景画像のうちの少なくとも１つである
ことを特徴とする請求項５記載の画像処理装置。
【請求項９】
記録媒体を示すデフォルト画像に対応するデフォルト画像情報を記憶する記憶手段と、
前記接続手段を介して接続された記録媒体に当該記録媒体に対応する画像情報が存在するか否かを判断する判断手段とをさらに具備し、
前記描画手段は、前記接続手段を介して接続された記録媒体に当該記録媒体に対応する画像情報が存在しないと判断された場合には前記記憶手段に記憶されているデフォルト画像情報に基づいて前記画像情報が存在しないと判断された記録媒体を示すデフォルト画像を描画する
ことを特徴とする請求項５記載の画像処理装置。
【請求項１０】
前記情報読出手段は、前記接続手段を介して接続された記録媒体における所定の記録位置から前記表示情報を読み出すとともに当該表示情報に含まれる位置情報に対応する記録位置からアプリケーションプログラムを読み出し、
前記読み出されたアプリケーションプログラムを実行するアプリケーション実行手段をさらに具備する
ことを特徴とする請求項１記載の画像処理装置。
【請求項１１】
各情報を記録する情報記録領域を具備する記録媒体であって、
接続手段を介して前記記録媒体との間で各情報の送受信が可能な画像処理装置に当該記録媒体に対応する識別表示を描画させるための表示情報が前記情報記録領域における所定の記録位置に記録されている
ことを特徴とする記録媒体。
【請求項１２】
前記所定の記録位置は、前記情報記録領域における階層構造のうちの最上位階層に対応する記録位置である
ことを特徴とする請求項１１記載の記録媒体。
【請求項１３】
前記表示情報は、前記情報記録領域における前記画像処理装置による書換えが可能な領域に記録されている
ことを特徴とする請求項１１記載の記録媒体。
【請求項１４】
前記表示情報は、前記情報記録領域における前記画像処理装置による書換えが不可能な領域に記録されている
ことを特徴とする請求項１１記載の記録媒体。
【請求項１５】
前記表示情報は、前記記録媒体に対応する文字列を含む
ことを特徴とする請求項１１記載の記録媒体。
【請求項１６】
前記表示情報は、前記記録媒体に対応する画像を描画するための画像情報を前記画像処理装置が読み出すための位置情報を含み、当該位置情報に対応する記録位置に当該画像情報が記録されている
ことを特徴とする請求項１１記載の記録媒体。
【請求項１７】
前記画像情報は、前記情報記録領域における前記画像処理装置による書換えが可能な領域に記録されている
ことを特徴とする請求項１６記載の記録媒体。
【請求項１８】
前記画像情報は、前記情報記録領域における前記画像処理装置による書換えが不可能な領域に記録されている
ことを特徴とする請求項１６記載の記録媒体。
【請求項１９】
前記記録媒体の外装には、前記画像情報に対応する画像と略同一の画像が描かれている
ことを特徴とする請求項１６記載の記録媒体。
【請求項２０】
記録媒体と接続するための接続手段と、
前記接続手段を介して接続された記録媒体における所定の記録位置から当該記録媒体に関する表示情報を読み出す情報読出手段と、
前記読み出された表示情報に基づいて当該表示情報が記録されている記録媒体に対応する識別表示を描画する描画手段と、
前記描画された識別表示を表示する表示手段と
を具備することを特徴とする画像表示装置。
【請求項２１】
記録媒体と接続するための接続手段を具備する画像処理装置における画像処理方法において、
前記接続手段を介して接続された記録媒体における所定の記録位置から当該記録媒体に関する表示情報を読み出す情報読出手順と、
前記読み出された表示情報に基づいて当該表示情報が記録されている記録媒体に対応する識別表示を描画する描画手順と
を具備することを特徴とする画像処理方法。
【請求項２２】
記録媒体と接続するための接続手段を具備する画像処理装置において、
前記接続手段を介して接続された記録媒体における所定の記録位置から当該記録媒体に関する表示情報を読み出す情報読出手順と、
前記読み出された表示情報に基づいて当該表示情報が記録されている記録媒体に対応する識別表示を描画する描画手順と
をコンピュータに実行させることを特徴とするプログラム。
【発明の詳細な説明】
【技術分野】
【０００１】
本発明は、画像処理装置に関し、特に、記録媒体を接続することが可能な画像処理装置、画像表示装置、これらにおける処理方法、当該方法をコンピュータに実行させるプログラムおよび記録媒体に関する。
【背景技術】
【０００２】
近年、被写体を撮影するためのデジタルビデオカメラやデジタルスチルカメラ等の撮像装置が普及している。これらの撮像装置により撮影された画像は、例えば、取り外しが可能なリムーバブルメディア等の記録媒体に記録することができる。
【０００３】
このように撮像装置により撮影されてリムーバブルメディアに記録された画像については、例えば、リムーバブルメディアを接続可能なテレビジョン等の画像処理装置を用いて、そのディスプレイで複数の人が閲覧することができる。また、最近では、複数のリムーバブルメディアスロットを備え、これらのリムーバブルメディアスロットに複数のリムーバブルメディアを接続することが可能な画像処理装置が存在する。
【０００４】
このように、複数のリムーバブルメディアスロットを備えている画像処理装置において、複数のリムーバブルメディアが接続されている場合には、視覚的に把握し易いように、これらのリムーバブルメディアを示すアイコンをディスプレイに表示させる表示方法が広く行われている。この表示方法として、リムーバブルメディアが接続された物理的なスロットに基づいて、このスロットに応じたアイコンを表示させる技術が提案されている。
【０００５】
例えば、複数のメモリカードスロットが設けられている携帯情報端末において、これらのメモリカードスロットに接続された外部メモリカードに記録されている画像と、内蔵メモリに記録されている画像とを表示する場合に、各外部メモリカードに記録されている画像については、メモリカードスロットに応じた数字が記載されたアイコンを各画像に重ねて表示する携帯情報端末が提案されている（例えば、特許文献１参照。）。
【特許文献１】特開２００５−２２３５７６号公報（図１１）
【発明の開示】
【発明が解決しようとする課題】
【０００６】
上述の従来技術によれば、各外部メモリカードに記録されている画像には、メモリカードスロットに応じた数字が記載されたアイコンが各画像に重ねて表示されるため、内蔵メモリに記録されている画像と各外部メモリカードに記録されている画像とを区別することができる。しかしながら、複数のスロットを備えている外部インターフェースを介して携帯情報端末と複数の外部メモリカードとを接続する場合においては、携帯情報端末のメモリカードスロットに応じた数字が記載されたアイコンを表示することができない。このため、接続されているリムーバブルメディアを識別することが困難であるという問題がある。
【０００７】
一方、既存の各リムーバブルメディアの種類に対応するアイコン情報を画像処理装置が予め記憶しておき、この画像処理装置に接続されたリムーバブルメディアの種類に応じたアイコンをディスプレイに表示させる表示方法が広く行われている。この表示方法によれば、既存のリムーバブルメディアが接続された場合には、予め記憶されているアイコン情報を用いてリムーバブルメディアの種類に応じたアイコンを表示させることができるものの、この画像処理装置と互換性のある新しい種類のリムーバブルメディアが接続された場合には、リムーバブルメディアの種類に応じたアイコンを表示させることができない。このため、接続されているリムーバブルメディアを識別することが困難であるという問題がある。
【０００８】
そこで、本発明は、接続されている記録媒体を容易に識別することを目的とする。
【課題を解決するための手段】
【０００９】
本発明は、上記課題を解決するためになされたものであり、その第１の側面は、記録媒体と接続するための接続手段と、上記接続手段を介して接続された記録媒体における所定の記録位置から当該記録媒体に関する表示情報を読み出す情報読出手段と、上記読み出された表示情報に基づいて当該表示情報が記録されている記録媒体に対応する識別表示を描画する描画手段とを具備することを特徴とする画像処理装置およびその処理方法ならびにプログラムである。これにより、接続された記録媒体における所定の記録位置から表示情報を読み出して、この読み出された表示情報に基づいて、この表示情報が記録されている記録媒体に対応する識別表示を描画するという作用をもたらす。
【００１０】
また、この第１の側面において、上記所定の記録位置は、上記記録媒体における階層構造のうちの最上位階層に対応する記録位置であることができる。これにより、接続された記録媒体における階層構造のうちの最上位階層に対応する記録位置から表示情報を読み出すという作用をもたらす。
【００１１】
また、この第１の側面において、上記記録媒体における所定の記録位置に記録されている表示情報を書き換える旨の操作入力を受け付ける操作受付手段と、上記表示情報を書き換える旨の操作入力が受け付けられた場合には当該操作入力に応じて当該表示情報を書き換える表示情報書換手段とをさらに具備することができる。これにより、表示情報を書き換える旨の操作入力が受け付けられた場合には、この操作入力に応じて表示情報を書き換えるという作用をもたらす。
【００１２】
また、この第１の側面において、上記描画手段は、上記読み出された表示情報に基づいて当該表示情報が記録されている記録媒体に対応する文字列を描画することができる。これにより、読み出された表示情報に基づいて、この表示情報が記録されている記録媒体に対応する文字列を描画するという作用をもたらす。
【００１３】
また、この第１の側面において、上記情報読出手段は、上記接続手段を介して接続された記録媒体における所定の記録位置から上記表示情報を読み出すとともに当該表示情報に含まれる位置情報に対応する記録位置から当該記録媒体に対応する画像情報を読み出し、上記描画手段は、上記読み出された画像情報に基づいて当該画像情報が記録されている記録媒体に対応する画像を描画することができる。これにより、接続された記録媒体における所定の記録位置から表示情報を読み出すとともに、この表示情報に含まれる位置情報に対応する記録位置から画像情報を読み出して、この読み出された画像情報に基づいて、この画像情報が記録されている記録媒体に対応する画像を描画するという作用をもたらす。また、この場合において、上記表示情報に含まれる位置情報に対応する記録位置に記録されている画像情報を書き換える旨の操作入力を受け付ける操作受付手段と、上記画像情報を書き換える旨の操作入力が受け付けられた場合には当該操作入力に応じて当該画像情報を書き換える画像情報書換手段とをさらに具備することができる。これにより、画像情報を書き換える旨の操作入力が受け付けられた場合には、この操作入力に応じて画像情報を書き換えるという作用をもたらす。また、この場合において、上記描画手段は、上記読み出された表示情報に基づいて当該表示情報が記録されている記録媒体に対応する文字列を当該記録媒体に係る画像に対応させて描画することができる。これにより、読み出された表示情報に基づいて、この表示情報が記録されている記録媒体に対応する文字列を、この記録媒体に係る画像に対応させて描画するという作用をもたらす。また、この場合において、上記読み出された画像情報に基づいて描画される画像は、当該画像情報が記録されている記録媒体に対応するアイコン、カーソル、背景画像のうちの少なくとも１つであることができる。これにより、アイコン、カーソル、背景画像のうちの少なくとも１つを、画像情報が記録されている記録媒体に対応する画像として描画するという作用をもたらす。
【００１４】
また、この第１の側面において、記録媒体を示すデフォルト画像に対応するデフォルト画像情報を記憶する記憶手段と、上記接続手段を介して接続された記録媒体に当該記録媒体に対応する画像情報が存在するか否かを判断する判断手段とをさらに具備し、上記描画手段は、上記接続手段を介して接続された記録媒体に当該記録媒体に対応する画像情報が存在しないと判断された場合には上記記憶手段に記憶されているデフォルト画像情報に基づいて上記画像情報が存在しないと判断された記録媒体を示すデフォルト画像を描画することができる。これにより、接続された記録媒体に画像情報が存在しないと判断された場合には、この記録媒体を示す画像としてデフォルト画像を描画するという作用をもたらす。
【００１５】
また、この第１の側面において、上記情報読出手段は、上記接続手段を介して接続された記録媒体における所定の記録位置から上記表示情報を読み出すとともに当該表示情報に含まれる位置情報に対応する記録位置からアプリケーションプログラムを読み出し、上記読み出されたアプリケーションプログラムを実行するアプリケーション実行手段をさらに具備することができる。これにより、接続された記録媒体における所定の記録位置から表示情報を読み出すとともに、この表示情報に含まれる位置情報に対応する記録位置からアプリケーションプログラムを読み出して、この読み出されたアプリケーションプログラムを実行するという作用をもたらす。
【００１６】
また、本発明の第２の側面は、各情報を記録する情報記録領域を具備する記録媒体であって、接続手段を介して上記記録媒体との間で各情報の送受信が可能な画像処理装置に当該記録媒体に対応する識別表示を描画させるための表示情報が上記情報記録領域における所定の記録位置に記録されていることを特徴とする記録媒体である。これにより、記録媒体が接続された画像処理装置が、この記録媒体における所定の記録位置から表示情報を読み出して、この読み出された表示情報に基づいて、この記録媒体に対応する識別表示を描画するという作用をもたらす。
【００１７】
また、この第２の側面において、上記所定の記録位置は、上記情報記録領域における階層構造のうちの最上位階層に対応する記録位置であることができる。これにより、記録媒体が接続された画像処理装置が、この記録媒体の情報記録領域における階層構造のうちの最上位階層に対応する記録位置から表示情報を読み出すという作用をもたらす。
【００１８】
また、この第２の側面において、上記表示情報は、上記情報記録領域における上記画像処理装置による書換えが可能な領域に記録されていることができる。これにより、記録媒体が接続された画像処理装置が、操作入力に応じて表示情報を書き換えるという作用をもたらす。
【００１９】
また、この第２の側面において、上記表示情報は、上記情報記録領域における上記画像処理装置による書換えが不可能な領域に記録されていることができる。これにより、記録媒体が接続された画像処理装置が、この記録媒体の表示情報を書き換えることができないという作用をもたらす。
【００２０】
また、この第２の側面において、上記表示情報は、上記記録媒体に対応する文字列を含むことができる。これにより、記録媒体が接続された画像処理装置が、この記録媒体における所定の記録位置から表示情報を読み出して、この読み出された表示情報に基づいて、この記録媒体に対応する文字列を描画するという作用をもたらす。
【００２１】
また、この第２の側面において、上記表示情報は、上記記録媒体に対応する画像を描画するための画像情報を上記画像処理装置が読み出すための位置情報を含み、当該位置情報に対応する記録位置に当該画像情報が記録されていることができる。これにより、記録媒体が接続された画像処理装置が、この記録媒体における所定の記録位置から表示情報を読み出すとともに、その表示情報に含まれる位置情報に対応する記録位置から画像情報を読み出して、この読み出された画像情報に基づいて、この記録媒体に対応する画像を描画するという作用をもたらす。また、この場合において、上記画像情報は、上記情報記録領域における上記画像処理装置による書換えが可能な領域に記録されていることができる。これにより、記録媒体が接続された画像処理装置が、操作入力に応じて画像情報を書き換えるという作用をもたらす。
【００２２】
また、この第２の側面において、上記画像情報は、上記情報記録領域における上記画像処理装置による書換えが不可能な領域に記録されていることができる。これにより、記録媒体が接続された画像処理装置が、この記録媒体の画像情報を書き換えることができないという作用をもたらす。
【００２３】
また、この第２の側面において、上記記録媒体の外装には、上記画像情報に対応する画像と略同一の画像が描かれていることができる。これにより、記録媒体が接続された画像処理装置が、この記録媒体の外装に描かれている画像と略同一の画像を、この記録媒体から読み出された画像情報に基づいて描画するという作用をもたらす。
【００２４】
また、本発明の第３の側面は、記録媒体と接続するための接続手段と、上記接続手段を介して接続された記録媒体における所定の記録位置から当該記録媒体に関する表示情報を読み出す情報読出手段と、上記読み出された表示情報に基づいて当該表示情報が記録されている記録媒体に対応する識別表示を描画する描画手段と、上記描画された識別表示を表示する表示手段とを具備することを特徴とする画像表示装置およびその処理方法ならびにプログラムである。これにより、接続された記録媒体における所定の記録位置から表示情報を読み出して、この読み出された表示情報に基づいて、この表示情報が記録されている記録媒体に対応する識別表示を描画し、この描画された識別表示を表示するという作用をもたらす。
【発明の効果】
【００２５】
本発明によれば、接続されている記録媒体を容易に識別することができるという優れた効果を奏し得る。
【発明を実施するための最良の形態】
【００２６】
次に本発明の実施の形態について図面を参照して詳細に説明する。
【００２７】
図１（ａ）は、本発明の実施の形態における画像処理装置１００の機能構成例を示すブロック図である。この画像処理装置１００は、ＣＰＵ（Central Processing Unit）１１０と、記憶部１２０と、リモコン信号受信部１３０と、リモコン（リモート・コントロール：remote control）１３１と、画像描画処理部１４０と、画像表示部１５０と、ＵＳＢ（Universal Serial Bus）ホストコントローラ１６０と、ＵＳＢコネクタ１７０とを備える。この画像処理装置１００は、例えば、ファイルシステム経由でアクセスが可能なリムーバルメディアを直接または外部インターフェース経由で接続して、このリムーバルメディアに記録されているデータを処理する機能を有するテレビジョン等で実現される。
【００２８】
ＣＰＵ１１０は、画像処理装置１００の各部を制御するものである。また、ＣＰＵ１１０は、リモコン信号受信部１３０からリモコン信号を受け取ると、受け取ったリモコン信号の内容および画像処理装置１００の状態に応じて、画像処理装置１００の状態を適切に制御する。また、ＣＰＵ１１０には、現在の年月日および時刻を提供する時計回路（図示せず）が内蔵されている。なお、ＣＰＵ１１０が処理するソフトウェアの構成については、図２を参照して詳細に説明する。
【００２９】
記憶部１２０は、各種情報を記憶する記憶部であり、処理の途中結果を一時的に記憶するための作業領域として用いられるとともに、ＣＰＵ１１０が実行する種々のプログラムや処理に必要となるデータ等を記憶するものである。また、記憶部１２０は、ＵＳＢコネクタ１７０を介して各種情報の送受信が可能なリムーバブルメディアから読み出された各情報を記憶するものである。また、記憶部１２０は、ＵＳＢコネクタ１７０を介して各種情報の送受信が可能なリムーバブルメディアを示すアイコンを記憶する。このアイコンは、リムーバブルメディアにアイコンファイルが記録されていない場合に用いられるデフォルトアイコンであり、図５等を参照して詳細に説明する。
【００３０】
リモコン信号受信部１３０は、リモコン１３１から出力されたリモコン信号を受信すると、受信したリモコン信号の内容をＣＰＵ１１０に出力するものである。リモコン１３１は、ユーザにより操作入力がされた場合に、この操作入力に応じたリモコン信号を出力するものである。この操作入力として、例えば、ＵＳＢコネクタ１７０を介して各種情報の送受信が可能なリムーバブルメディアを一覧表示する画面である接続メディア一覧画面を表示させる操作入力や、この接続メディア一覧画面において所望のリムーバブルメディアを選択する操作入力がある。
【００３１】
画像描画処理部１４０は、ＣＰＵ１１０からの制御に基づいて、画像表示部１５０に表示するための画像を描画するものである。例えば、画像描画処理部１４０は、図４に示すメディア情報ファイル３２０に記録されている内容に基づいて、図５に示す文字表示領域１５２に文字列３２１を描画するとともに、図４に示すアイコンファイル３５０に記録されているアイコン画像データ３５５に基づいて、図５に示すアイコン表示領域１５１にアイコン３５６を描画する。
【００３２】
画像表示部１５０は、画像描画処理部１４０により描画された画像を表示するものである。この画像表示部１５０における表示例については、図５、図７等を参照して詳細に説明する。
【００３３】
ＵＳＢホストコントローラ１６０は、ＵＳＢコネクタ１７０に接続される各種ＵＳＢ機器を検出するとともに、検出されたＵＳＢ機器からデータの読出しおよび書込みを行うコントローラである。また、ＵＳＢホストコントローラ１６０は、ＵＳＢリーダ／ライタ１８０を介して接続される各リムーバブルメディアを検出するとともに、検出されたリムーバブルメディアからデータの読出しおよび書込みを行う。本発明の実施の形態では、画像処理装置１００の外部インターフェースとして、リムーバブルメディア用ＵＳＢリーダ／ライタ（以下、ＵＳＢリーダ／ライタという。）１８０を用いて、ＵＳＢリーダ／ライタ１８０を介してリムーバブルメディアが接続される場合について説明する。
【００３４】
ＵＳＢコネクタ１７０は、ＵＳＢリーダ／ライタ１８０に接続されているＵＳＢケーブル１９０と物理的に接続され、ＵＳＢリーダ／ライタ１８０およびＵＳＢケーブル１９０を介して画像処理装置１００とリムーバブルメディとを接続するコネクタである。この接続により、画像処理装置１００とリムーバブルメディとの間で各情報が送受信される。このように、画像処理装置１００は、ＵＳＢケーブル１９０を介してＵＳＢリーダ／ライタ１８０と接続され、ホスト機器として機能する。また、ＵＳＢコネクタ１７０には、ＵＳＢフラッシュメモリ等のＵＳＢ機器を物理的に直接接続することが可能である。
【００３５】
ＵＳＢリーダ／ライタ１８０は、複数のリムーバブルメディアを接続することが可能なリムーバブルメディア用ＵＳＢリーダ／ライタであり、各種リムーバブルメディアを接続するリムーバブルメディアスロット１８１乃至１８４を備え、論理ユニットとしてそれぞれのリムーバブルメディアにアクセスが可能な機能を有する。また、ＵＳＢリーダ／ライタ１８０は、マスストレージクラスであって、ＦＡＴファイルシステムに対応しているものとする。なお、リムーバブルメディアスロット１８１乃至１８４に接続されたリムーバブルメディアに記録されている各種情報がＵＳＢケーブル１９０を介して画像処理装置１００に供給されるとともに、画像処理装置１００から出力された各種情報がこれらのリムーバブルメディアに記録される。ここでは、リムーバブルメディアＡ（３００）乃至Ｄ（６００）がリムーバブルメディアスロット１８１乃至１８４に接続された場合について説明する。なお、ＵＳＢリーダ／ライタ１８０の代わりに、リムーバブルメディアスロットおよび内蔵メモリを備えるデジタルスチルカメラ等のＵＳＢ機器をＵＳＢコネクタ１７０に接続して、このＵＳＢ機器自体がリムーバブルメディアとして機能する場合についても本発明の実施の形態を適用することができる。また、外部機器としてＵＳＢリーダ／ライタを画像処理装置１００に接続する代わりに、ＵＳＢリーダ／ライタを画像処理装置１００に内蔵する場合についても本発明の実施の形態を適用することができる。
【００３６】
図１（ｂ）は、リムーバブルメディアＡ（３００）乃至Ｄ（６００）の外観を概略的に示す図である。リムーバブルメディアＡ（３００）乃至Ｄ（６００）は、各種情報を記録する着脱可能な記録媒体である。ここでは、ＵＳＢリーダ／ライタ１８０に接続が可能なリムーバブルメディアについて説明する。記録媒体として、例えば、メモリースティック、ＳＤ（Secure Digital）メモリカード、ｘＤピクチャーカード、スマートメディア、コンパクトフラッシュ（登録商標）等のメモリカード、ＤＶＤ（Digital Versatile Disc）、ＣＤ（Compact Disc）、ＢＤ（Blu-ray Disc：ブルーレイ・ディスク）等の光記録媒体、磁気ディスク、ＨＤＤ（Hard Disk Drive）、ｉＶＤＲ（Information Versatile Disk for Removable usage）等の種々のものを用いることができる。
【００３７】
本発明の実施の形態では、図１（ｂ）に示すように、リムーバブルメディアＡ（３００）乃至Ｄ（６００）の外装の一部に、各リムーバブルメディアを識別するための画像３５７、４５７、５５７、６５７を描画する。これにより、例えば、図５に示す画像表示部１５０に表示される各リムーバブルメディアに対応するアイコン３５６、４５６、５５６、６５６と、各リムーバブルメディアに描画されている画像３５７、４５７、５５７、６５７とが略同一となるため、両者の関係がさらに明確となり、両者の関係を把握することが視覚的に容易である。
【００３８】
図２は、本発明の実施の形態における画像表示システムのソフトウェア構造の一例を示す図である。この画像表示システムは、メディア情報取得表示アプリケーション２１０と、ファイルシステム２２０と、マスストレージクラスドライバ２３０と、ＵＳＢドライバ２４０と、ホストコントローラドライバ２５０と、ＵＩ描画処理部２６０とを備える。
【００３９】
メディア情報取得表示アプリケーション２１０は、ユーザからの操作入力を受け付けるとともに、アプリケーション全体の状態を管理して制御するものである。
【００４０】
ファイルシステム２２０は、メディア情報取得表示アプリケーション２１０に対して、各ドライブをマウントする機能、ディレクトリを移動する機能、ファイルの読み書きをする機能を提供するものである。また、ファイルシステム２２０は、マスストレージクラスドライバ２３０、ＵＳＢドライバ２４０、および、ホストコントローラドライバ２５０を経由して、図１（ａ）に示すＵＳＢホストコントローラ１６０を制御して、ＵＳＢリーダ／ライタ１８０との間で通信を行う。
【００４１】
マスストレージクラスドライバ２３０は、画像処理装置１００に接続された各機器を画像処理装置１００内部の記憶装置として認識して制御するためのドライバである。
【００４２】
ＵＳＢドライバ２４０は、ＵＳＢ機器の接続を検出して、検出結果を上位層に通知する機能を持つドライバであり、ＵＳＢのプロトコルを実現するためのものである。
【００４３】
ホストコントローラドライバ２５０は、図１（ａ）に示すＵＳＢホストコントローラ１６０を制御するためのドライバである。
【００４４】
ＵＩ描画処理部２６０は、メディア情報取得表示アプリケーション２１０からの要求により、画像描画処理部１４０を制御して画像を描画するとともに、描画された画像を画像表示部１５０に表示するものである。
【００４５】
次に、リムーバブルメディアに記録されているメディア情報ファイルおよびアイコンファイルについて図面を参照して詳細に説明する。
【００４６】
図３は、リムーバブルメディアＡ（３００）に記録されている各ファイルのファイル構造を概略的に示す図である。本発明の実施の形態では、リムーバブルメディアに記録される各ファイルのファイル構造として、階層型ファイル構造を例にして説明する。ルートディレクトリ３１０には、メディア情報ファイル３２０と、フォルダＡ（３３０）と、フォルダＢ（３４０）とが属する。なお、フォルダＡ（３３０）およびフォルダＢ（３４０）は、各ファイルが属するフォルダである。また、ルートディレクトリ３１０に属するメディア情報ファイル３２０、およびフォルダＡ（３３０）に属するアイコンファイル３５０については、図４を参照して詳細に説明する。なお、リムーバブルメディアＢ（４００）乃至リムーバブルメディアＤ（６００）についても、リムーバブルメディアＡ（３００）と同様であるため、ここでの説明を省略する。
【００４７】
図４は、リムーバブルメディアＡ（３００）に記録されている各種情報の概略を模式的に示す図である。リムーバブルメディアＡ（３００）には情報記録領域３０１が設けられ、情報記録領域３０１には、メディア情報ファイル３２０およびアイコンファイル３５０が記録されている。なお、情報記録領域３０１には他の情報も記録されているが、ここでの説明は省略する。
【００４８】
メディア情報ファイル３２０は、ルートディレクトリ３１０の直下に配置されるテキストファイルであり、例えば、ファイル名を「メディア情報ファイル.ｔｘｔ」とする。ここでは、メディア情報ファイル３２０の記録フォーマットの一例として、メディア情報ファイル３２０に、アイコンファイルへのファイルパス、メーカ名、メディアの種類および特徴等が記述されている場合について示す。例えば、メディア情報ファイル３２０において、アイコンファイルへのファイルパスとして、アイコンファイル３５０のファイルパスである「￥フォルダＡ￥アイコンファイル.ｊｐｇ」が記述され、メーカ名として「ＡＢＣ社」が記述され、メディアの種類および特徴等として「リムーバブルメディアＡ  １２８ＭＢ」が記述される。
【００４９】
アイコンファイル３５０は、リムーバブルメディアＡ（３００）に関するアイコン画像データ３５５が記録されているＪＰＥＧ（Joint Photographic Experts Group）ファイルであり、例えば、ファイル名を「アイコンファイル.ｊｐｇ」とする。本発明の実施の形態では、図１（ｂ）に示すリムーバブルメディアＡ（３００）に描画されている画像３５７と、アイコンファイル３５０に記録されているアイコン画像データ３５５に対応するアイコン３５６（図５に示す）とが略同一であるとする。なお、図４では、アイコン画像データ３５５として、アイコン３５６に対応する画像を示す。
【００５０】
次に、リムーバブルメディアＡ（３００）乃至Ｄ（６００）がＵＳＢリーダ／ライタ１８０に接続された場合における画像表示部１５０の表示例について図面を参照して詳細に説明する。
【００５１】
図５は、リムーバブルメディアＡ（３００）乃至Ｄ（６００）がＵＳＢリーダ／ライタ１８０に接続された場合における画像表示部１５０の表示例を示す図である。画像表示部１５０に表示される接続メディア一覧画面には、アイコン表示領域１５１と、文字表示領域１５２と、接続メディア一覧表示１５３とが表示される。
【００５２】
アイコン表示領域１５１には、各リムーバブルメディアに記録されているアイコンファイルに含まれるアイコン画像データに対応するアイコンが表示される。例えば、リムーバブルメディアＡ（３００）乃至Ｄ（６００）のそれぞれに対応するアイコン３５６、４５６、５５６、６５６が表示される。ここで、アイコン表示領域１５１に表示されるアイコン３５６、４５６、５５６、６５６は、図１（ｂ）に示すリムーバブルメディアＡ（３００）乃至Ｄ（６００）に描画されている画像３５７、４５７、５５７、６５７と略同一である。これにより、ＵＳＢリーダ／ライタ１８０に接続された各リムーバブルメディアと、画像表示部１５０に表示される各アイコンとの関係を容易に把握することができる。
【００５３】
ここで、リムーバブルメディアにアイコンファイルが記録されていない場合には、記憶部１２０に記憶されているデフォルトアイコンが読み出され、このリムーバブルメディアに対応するアイコン表示領域１５１の枠には、読み出されたデフォルトアイコンが表示される。このように、リムーバブルメディアにアイコンファイルが記録されている場合には、そのアイコンファイルに記録されているアイコン画像データが読み出され、このアイコン画像データに対応するアイコンがアイコン表示領域１５１に表示される。一方、リムーバブルメディアにアイコンファイルが記録されていない場合には、記憶部１２０に記憶されているデフォルトアイコンが読み出され、この読み出されたデフォルトアイコンがアイコン表示領域１５１に表示される。
【００５４】
文字表示領域１５２には、各リムーバブルメディアに記録されているメディア情報ファイルに記述されている各情報に対応する文字が表示される。例えば、リムーバブルメディアＡ（３００）乃至Ｄ（６００）のそれぞれに対応する種類、記録容量、メーカ名３２１、４２１、５２１、６２１が表示される。これにより、ＵＳＢリーダ／ライタ１８０に接続された各リムーバブルメディアに関する情報を容易に把握することができる。
【００５５】
画像表示部１５０に接続メディア一覧画面が表示されている場合において、何れかのリムーバブルメディアを選択する場合には、リモコン１３１を用いてアイコン表示領域１５１に表示されているアイコン３５６、４５６、５５６、６５６の中から所望のアイコンを選択する。これにより、選択されたアイコンに対応するリムーバブルメディアに記録されている各情報の内容を画像表示部１５０に表示させることができる。
【００５６】
このように、例えば、ＵＳＢリーダ／ライタ１８０にリムーバブルメディアＡ（３００）が接続された場合には、リムーバブルメディアＡ（３００）における所定の記録位置に記録されているメディア情報ファイル３２０が読み出され、読み出されたメディア情報ファイル３２０の内容が記憶部１２０に記憶される。続いて、メディア情報ファイル３２０に記述されているアイコンファイル３５０へのファイルパスに基づいて、リムーバブルメディアＡ（３００）からアイコンファイル３５０が読み出され、読み出されたアイコンファイル３５０が記憶部１２０に記憶される。続いて、アイコンファイル３５０に記録されているアイコン画像データ３５５に対応するアイコン３５６が描画され、アイコン表示領域１５１に表示されるとともに、メディア情報ファイル３２０の内容が文字表示領域１５２に表示される。
【００５７】
この接続メディア一覧画面は、例えば、接続メディア一覧画面を表示する旨の操作入力がユーザによりリモコン１３１にされた場合に、画像表示部１５０に表示されるようにする。この場合には、メディア情報ファイル３２０およびアイコンファイル３５０が読み出され、画像表示部１５０に接続メディア一覧画面が表示される。なお、リムーバブルメディアＡ（３００）からメディア情報ファイル３２０およびアイコンファイル３５０を読み出すタイミングは、ユーザ操作に連動する必要はない。例えば、リムーバブルメディアＡ（３００）がＵＳＢリーダ／ライタ１８０に接続された直後に、メディア情報ファイル３２０およびアイコンファイル３５０を読み出して記憶部１２０に保持しておき、接続メディア一覧画面を表示する旨の操作入力がユーザによりリモコン１３１にされた場合に、記憶部１２０に保持されているメディア情報ファイル３２０およびアイコンファイル３５０を用いて、画像表示部１５０に接続メディア一覧画面を表示するようにしてもよい。
【００５８】
図５に示す接続メディア一覧画面においては、例えば、ＵＳＢリーダ／ライタ１８０に接続された順番でリムーバブルメディアを並べて表示するようにしてもよく、接続されたスロットの順番に応じてリムーバブルメディアを並べて表示するようにしてもよい。
【００５９】
次に、本発明の実施の形態における画像処理装置１００の動作について図面を参照して説明する。
【００６０】
図６は、画像処理装置１００による接続メディア表示処理の処理手順を示すフローチャートである。ここでは、リムーバブルメディアＡ（３００）がＵＳＢリーダ／ライタ１８０に接続された場合において、リムーバブルメディアＡ（３００）に対応するアイコンおよび文字列が表示される例について説明する。なお、この例では、ＵＳＢリーダ／ライタ１８０を介してリムーバブルメディアが画像処理装置１００に接続される場合について説明するが、リムーバブルメディアがＵＳＢコネクタ１７０に直接接続された場合についても同様である。
【００６１】
最初に、リムーバブルメディアが、ＵＳＢリーダ／ライタ１８０を介してＵＳＢコネクタ１７０に接続されたか否かが判断される（ステップＳ９０１）。リムーバブルメディアがＵＳＢリーダ／ライタ１８０を介してＵＳＢコネクタ１７０に接続されていなければ（ステップＳ９０１）、リムーバブルメディアの接続を監視する（ステップＳ９０１）。
【００６２】
リムーバブルメディアがＵＳＢリーダ／ライタ１８０を介してＵＳＢコネクタ１７０に接続された場合には（ステップＳ９０１）、ＵＳＢリーダ／ライタ１８０を介してＵＳＢコネクタ１７０に接続されたリムーバブルメディアの所定の記録位置（ルートディレクトリの直下の記録位置）に記録されている情報が読み出される（ステップＳ９０２）。例えば、リムーバブルメディアＡ（３００）がＵＳＢリーダ／ライタ１８０に接続された場合には、リムーバブルメディアＡ（３００）に記録されているメディア情報ファイル３２０が読み出される。そして、読み出されたメディア情報ファイル３２０の内容が記憶部１２０に記憶される。
【００６３】
続いて、読み出された情報に記述されているファイルパスにアイコンファイルが存在するか否かが判断される（ステップＳ９０３）。すなわち、ＵＳＢリーダ／ライタ１８０に接続されたリムーバブルメディアのファイルパスに対応するファイルが読み出され、このファイルがアイコンファイルであるか否かが判断される（ステップＳ９０３）。例えば、読み出されたファイルパスに対応するファイルが、「アイコンファイル．ｊｐｇ」であるか否かが判断される。
【００６４】
読み出された情報に記述されているファイルパスにアイコンファイルが存在する場合には（ステップＳ９０３）、このアイコンファイルが読み出される（ステップＳ９０４）。例えば、図４に示すアイコンファイル３５０が読み出される。一方、読み出された情報に記述されているファイルパスにアイコンファイルが存在しない場合には（ステップＳ９０３）、記憶部１２０に記憶されているデフォルトアイコン画像データが読み出される（ステップＳ９０４）。
【００６５】
続いて、読み出されたアイコンファイルに記録されているアイコン画像データに基づいて、アイコンが描画される（ステップＳ９０６）。例えば、アイコンファイル３５０に記録されているアイコン画像データ３５５に基づいてアイコン３５６が描画される。なお、アイコンファイルが存在しない場合には（ステップＳ９０３）、記憶部１２０から読み出されたデフォルトアイコン画像データに基づいて、デフォルトアイコンが描画される（ステップＳ９０６）。
【００６６】
続いて、描画されたアイコンが画像表示部１５０に表示される（ステップＳ９０７）。例えば、図５に示すように、画像表示部１５０のアイコン表示領域１５１にアイコン３５６が表示される。また、このアイコンの表示とともに、画像表示部１５０の文字表示領域１５２には、ステップＳ９０２で読み出された情報のうちで、リムーバブルメディアの種類と記憶容量とメーカ名とが表示される。
【００６７】
このように、メディア固有のアイコンをＵＩ（user interface）上に表示することができるため、メディアとアイコンとの関係を容易に把握することができる。
【００６８】
次に本発明の実施の形態の変形例について図面を参照して詳細に説明する。
【００６９】
ここでは、図４に示すメディア情報ファイル３２０の内容の書換えが可能な場合について説明する。この例では、リムーバブルメディアに記録されている各情報が書き換えられた場合における更新日時のうちで、最新の更新日時をメディア情報ファイルのメーカ名の代わりに記録する例について説明する。この書換えについては、例えば、ＵＳＢリーダ／ライタ１８０に接続されているリムーバブルメディアに記録されている情報が更新される度に、ＣＰＵ１１０に内蔵されている時計回路の現在の年月日および時刻が更新日時として書き込まれる。
【００７０】
図７は、リムーバブルメディアＡ（３００）乃至Ｄ（６００）がＵＳＢリーダ／ライタ１８０に接続された場合における画像表示部１５０の表示例を示す図である。画像表示部１５０に表示される接続メディア一覧画面には、アイコン表示領域１５１と、文字表示領域１５２と、接続メディア一覧表示１５３とが表示される。この例では、アイコン表示領域１５１および接続メディア一覧表示１５３については、図５で示したものと同様であるため、これらの説明を省略する。
【００７１】
文字表示領域１５２には、各リムーバブルメディアに記録されているメディア情報ファイルに記録されている各種情報に対応する文字列が表示される。この文字列として、この例では、リムーバブルメディアＡ（３００）乃至Ｄ（６００）のそれぞれに対応する種類、記録容量、最新の更新日時３２２、４２２、５２２、６２２が表示される。このように、各リムーバブルメディアのメディア情報ファイルに最新の更新日時を記録することによって、各ファイルの更新日時を順次検索した後に、これらに基づいて最新の更新日時を表示する必要がないため、最新の更新日時の表示を迅速に行うことができる。これにより、ＵＳＢリーダ／ライタ１８０に接続された各リムーバブルメディアが更新された日時を迅速に表示させることができるため、各リムーバブルメディアの内容を把握し易くなる。
【００７２】
次に、各リムーバブルメディアに背景画像やカーソル等を記録しておき、これらの背景画像やカーソル等を画像表示部１５０に表示させる変形例について説明する。また、各リムーバブルメディアにアプリケーションプログラム等を記録しておき、これらのアプリケーションプログラムをＣＰＵに実行させる変形例についても説明する。ここでは、主に、リムーバブルメディアＢ（４００）を用いて説明する。
【００７３】
図８は、リムーバブルメディアＢ（４００）に記録されている各ファイルのファイル構造を概略的に示す図である。ルートディレクトリ４１０には、メディア情報ファイル４２０と、フォルダＣ（４３０）と、フォルダＤ（４４０）とが属する。なお、フォルダＣ（４３０）およびフォルダＤ（４４０）は、各ファイルが属するフォルダである。また、ルートディレクトリ４１０に属するメディア情報ファイル４２０、およびフォルダＣ（４３０）に属するアイコンファイル４５０、背景画像ファイル４６０、カーソルファイル４７０、Ｊａｖａ（登録商標）アプリケーションファイル４８０については、図９を参照して詳細に説明する。
【００７４】
図９は、リムーバブルメディアＢ（４００）に記録されている各種情報の概略を模式的に示す図である。リムーバブルメディアＢ（４００）には情報記録領域４０１が設けられ、情報記録領域４０１には、メディア情報ファイル４２０、アイコンファイル４５０、背景画像ファイル４６０、カーソルファイル４７０、Ｊａｖａアプリケーションファイル４８０が記録されている。なお、アイコンファイル４５０については、図４を参照して説明したものと同様であるため、ここでは、情報記録領域４０１に記録される各種情報のうちで、メディア情報ファイル４２０、背景画像ファイル４６０、カーソルファイル４７０、Ｊａｖａアプリケーションファイル４８０について説明し、他の情報についての説明は省略する。
【００７５】
メディア情報ファイル４２０は、ルートディレクトリ４１０の直下に配置されるテキストファイルであり、例えば、ファイル名を「メディア情報ファイル.ｔｘｔ」とする。ここでは、メディア情報ファイル４２０の記録フォーマットの一例として、メディア情報ファイル４２０に、アイコンファイルへのファイルパス、背景画像ファイルへのファイルパス、カーソルファイルへのファイルパス、Ｊａｖａアプリケーションファイルへのファイルパス、メーカ名、メディアの種類および特徴等が記述されている場合について示す。例えば、アイコンファイルへのファイルパスとして、アイコンファイル４５０のファイルパスである「￥フォルダＣ￥アイコンファイル.ｊｐｇ」が記述され、背景画像ファイルへのファイルパスとして、背景画像ファイル４６０のファイルパスである「￥フォルダＣ￥背景画像ファイル.ｊｐｇ」が記述され、カーソルファイルへのファイルパスとして、カーソルファイル４７０のファイルパスである「￥フォルダＣ￥カーソルファイル.ｊｐｇ」が記述され、Ｊａｖａアプリケーションファイルへのファイルパスとして、Ｊａｖａアプリケーションファイル４８０のファイルパスである「￥フォルダＣ￥Ｊａｖａアプリケーションファイル.ｊａｖａ」が記述され、メーカ名として「ＤＥＦ社」が記述され、メディアの種類および特徴等として「リムーバブルメディアＢ  １ＧＢ」が記述される。
【００７６】
背景画像ファイル４６０は、画像表示部１５０に表示される表示画面の背景に貼り付けられる背景画像データ４６１が記録されているＪＰＥＧファイルであり、例えば、ファイル名を「背景画像ファイル.ｊｐｇ」とする。なお、背景画像とは、画像表示部１５０に表示される表示画面の背景に貼り付けられる画像であり、一般的に壁紙と称される画像である。また、図９では、背景画像データ４６１として、図１０に示す背景画像４６２に対応する画像を示す。
【００７７】
カーソルファイル４７０は、画像表示部１５０に表示される表示画面上に表示されるカーソル画像データ４７１および４７２が記録されているＪＰＥＧファイルであり、例えば、ファイル名を「カーソルファイル.ｊｐｇ」とする。本発明の実施の形態では、カーソルの例として、「通常状態のカーソル」および「待ち状態のカーソル」を用いて説明する。例えば、「通常状態のカーソル」としてカーソル画像データ４７１を用いて、「待ち状態のカーソル」としてカーソル画像データ４７２を用いる。なお、図９では、カーソル画像データ４７１および４７２として、図１１に示すカーソル４７３および４７４に対応する画像を示す。
【００７８】
Ｊａｖａアプリケーションファイル４８０は、ＣＰＵ１１０に実行させるアプリケーションプログラムが記録されているＪａｖａアプリケーションファイルであり、例えば、ファイル名を「Ｊａｖａアプリケーションファイル.ｊａｖａ」とする。なお、図９では、アプリケーションプログラムの記述を省略して示す。
【００７９】
次に、リムーバブルメディアＡ（３００）乃至Ｄ（６００）がＵＳＢリーダ／ライタ１８０に接続された場合における画像表示部１５０の表示例について図面を参照して詳細に説明する。なお、この場合における接続メディア一覧画面については、図５に示す表示画面と同様であるため、説明を省略する。
【００８０】
図１０は、リムーバブルメディアＡ（３００）乃至Ｄ（６００）がＵＳＢリーダ／ライタ１８０に接続された場合における画像表示部１５０の表示例を示す図である。この例では、リムーバブルメディアＡ（３００）乃至Ｄ（６００）のうちで、リムーバブルメディアＢ（４００）にのみ背景画像ファイル４６０が記録されている場合において、画像表示部１５０に待機画面が表示される場合について説明する。
【００８１】
図９に示すように、リムーバブルメディアＢ（４００）に背景画像ファイル４６０が記録されている場合には、図１０に示すように、画像表示部１５０に表示される待機画面の背景画像として、背景画像データ４６１に基づいて描画される背景画像４６２が表示される。また、図１０に示す待機画面において、例えば、ＵＳＢリーダ／ライタ１８０に接続されたリムーバブルメディアＡ（３００）乃至Ｄ（６００）に対応するアイコン３５６、４５６、５５６、６５６が画面の左上に並べられる。
【００８２】
なお、背景画像ファイルが記録されているリムーバブルメディアが画像処理装置１００に複数接続された場合には、最後に接続されたリムーバブルメディアの背景画像を表示させるようにしてもよく、ユーザの操作により１つの背景画像を選択するようにしてもよい。また、表示画面を分割して複数の背景画像を表示するようにしてもよい。
【００８３】
なお、背景画像の大きさ（壁紙のサイズ）は、表示画面の大きさに合わせて自動的にサイズを変更するようにしてもよく、記録されている背景画像をそのまま用いて表示画面の一部に表示するようにしてもよい。
【００８４】
図１１は、リムーバブルメディアＡ（３００）乃至Ｄ（６００）がＵＳＢリーダ／ライタ１８０に接続された場合における画像表示部１５０の表示例を示す図である。この例では、リムーバブルメディアＡ（３００）乃至Ｄ（６００）のうちで、リムーバブルメディアＢ（４００）にのみカーソルファイル４７０が記録されている場合において、画像表示部１５０に「通常状態のカーソル」が表示される場合を図１１（ａ）に示し、画像表示部１５０に「待ち状態のカーソル」が表示される場合を図１１（ａ）に示す。
【００８５】
図９に示すように、リムーバブルメディアＢ（４００）にカーソルファイル４７０が記録されている場合には、画像表示部１５０の表示画面において、例えば、図１１（ａ）に示す通常状態のカーソル４７３および図１１（ｂ）に示す待ち状態のカーソル４７４が表示される。また、図１１に示す各画面において、例えば、ＵＳＢリーダ／ライタ１８０に接続されたリムーバブルメディアＡ（３００）乃至Ｄ（６００）に対応するアイコン３５６、４５６、５５６、６５６が画面の左上に並べられる。
【００８６】
なお、カーソルファイルが記録されているリムーバブルメディアが画像処理装置１００に複数接続された場合には、最後に接続されたリムーバブルメディアのカーソルを表示させるようにしてもよく、ユーザの操作により１つのカーソルを選択するようにしてもよい。また、ユーザ操作により選択されている状態のリムーバブルメディアのカーソルをその都度表示するようにしてもよい。
【００８７】
次に、各リムーバブルメディアに記録されている各種情報をユーザの好みに応じて書き換えて、書換え後の内容を画像表示部１５０に表示させる変形例について説明する。ここでは、アイコンをユーザにより選択された画像に書き換え、メディアの種類を、ユーザにより入力された文字に書き換えた場合について説明する。
【００８８】
例えば、メディアの種類を書き換える場合には、メディアの種類の枠に表示させたい文字をリモコン１３１からユーザが入力して、リムーバブルメディアのメディア情報ファイルに記録されている「メディアの種類」を書き換える旨の操作入力をリモコン１３１からユーザが行う。例えば、文字の入力後に、リモコン１３１の「書換ボタンＡ」がユーザにより押下される。これにより、「メディアの種類」の内容が書き換えられる。また、アイコンを書き換える場合には、例えば、アイコンとして表示させたい画像を画像表示部１５０においてリモコン１３１からのユーザ操作により選択する。そして、アイコンとして表示させたい画像が選択されている状態で、リムーバブルメディアのアイコンファイルに記録されている「アイコン画像データ」を書き換える旨の操作入力をリモコン１３１からユーザが行う。例えば、アイコンとして表示させたい画像が選択されている状態で、リモコン１３１の「書換ボタンＢ」がユーザにより押下される。これにより、「アイコン画像データ」の内容が書き換えられる。これらの書換えは、ＣＰＵ１１０により行われる。なお、他のファイルを書き換える場合についても同様である。
【００８９】
図１２は、リムーバブルメディアＡ（３００）乃至Ｄ（６００）がＵＳＢリーダ／ライタ１８０に接続された場合における画像表示部１５０の表示例を示す図である。ここでは、リムーバブルメディアＡ（３００）乃至Ｄ（６００）において、アイコンおよびメディアの種類が書き換えられた場合について説明する。また、図１２に示す接続メディア一覧画面は、図５で示す接続メディア一覧画面のうちで、アイコン表示領域１５１に表示される各アイコンと、文字表示領域１５２に表示されるメディアの種類とが異なる点以外は、図５に示す接続メディア一覧画面と同様である。ここでは、例えば、お父さん、お母さん、娘（○○子）、息子（△△男）の４人家族が、それぞれの所有する個人リムーバブルメディアをＵＳＢリーダ／ライタ１８０に接続した場合を想定して説明する。
【００９０】
アイコン表示領域１５１に表示される各アイコンとして、例えば、各個人の顔写真の画像をサムネイル画像としたものをアイコン７０１乃至７０４として用いることができる。また、文字表示領域１５２に表示されるメディアの種類の部分には、誰のメモリであるかを示す文字である「お父さんのメモリ」「お母さんのメモリ」「○○子のメモリ」「△△男のメモリ」が記録されるものとする。
【００９１】
このように、書き換えることによって、家族の４人が所有するそれぞれのリムーバブルメディアに記録されている画像を画像処理装置１００によって閲覧する場合に、誰のリムーバブルメディアであるかを視覚的に容易に把握することができるため、便利である。
【００９２】
一方、ここでは、書換え可能な場合について説明したが、図３および図９に示す各ファイルを、他人に勝手に書き換えられないようにするために、書換えの禁止／許可を設定可能とするようにしてもよい。例えば、図３および図９に示す各ファイルに書換え設定フラグを設け、この設定フラグの操作によって、書換えの禁止／許可を設定することができる。また、ユーザによる書換えを禁止するために、例えば、図３および図９に示す各ファイルを、リムーバブルメディアの情報記録領域における書換え禁止領域に記録しておくことができる。なお、図３および図９に示す各ファイルのうちの所定のファイルのみを書換え可能または書換え不可能とする設定をするようにしてもよい。
【００９３】
また、同一種類のリムーバブルメディアについても、それぞれを識別することができるように、例えば、各リムーバブルメディアを識別するための異なるキャラクター等のアイコンを用いるようにしてもよい。また、リムーバブルメディア内に複数のキャラクター画像を予め記録しておき、これらのキャラクター画像の中からユーザの好みに応じたキャラクター画像をアイコンとして選択して用いるようにしてもよい。さらに、アイコンの色と、リムーバブルメディアの外観の色とを対応させるようにしてもよい。
【００９４】
また、リムーバブルメディアの形状や基本フォーマットで定義されない特徴に関する情報を記録するようにしてもよい。例えば、リムーバブルメディアの商品名、性能、キャラクターデザイン、カラーバリエーション等を記録するようにしてもよい。
【００９５】
また、本発明の実施の形態では、各リムーバブルメディアにおける階層構造のうちの最上位階層に対応する記録位置（ルート直下の記録位置）にメディア情報ファイルが記録されている例について説明したが、記録位置を予め設定しておくようにすれば、各リムーバブルメディアにおける他の記録位置にメディア情報ファイルを記録するようにしてもよい。
【００９６】
また、リムーバブルメディアの記録容量に応じて、アイコンの大きさを変更して表示するようにしてもよい。このように、アイコンの大きさを変更して表示することによって、アイコンに対応するリムーバブルメディアの容量を容易に認識することができる。
【００９７】
また、リムーバブルメディアに記録されている撮影画像等のファイルの一覧を表示する場合には、各ファイルを示すアイコンを表示するとともに、これらのファイルを示すアイコンの所定部分（例えば、左上部分）に、対応するリムーバブルメディアを示すアイコンを付加して表示するようにしてもよい。
【００９８】
また、本発明の実施の形態では、画像処理装置について説明したが、リムーバブルメディアから読み出された画像データに基づいて画像を描画することが可能な映像視聴装置、画像表示装置、電子機器、携帯端末等に本発明の実施の形態を適用することができる。
【００９９】
さらに、本発明の実施の形態では、ＵＳＢリーダ／ライタ１８０を用いてリムーバブルメディアを接続する例について説明したが、各リムーバブルメディアと接続が可能な他の画像処理装置についても本発明の実施の形態を適用することができる。
【０１００】
このように、本発明の実施の形態によれば、ＵＳＢリーダ／ライタ１８０に接続された各リムーバブルメディアから読み出されたアイコンファイルに記録されているアイコンを、各リムーバブルメディアに対応させて表示することができるため、各リムーバブルメディアを容易に識別することができる。また、このアイコンとともに各リムーバブルメディアに関する文字列を表示することができるため、各リムーバブルメディアの内容をさらに把握し易い。このように、メディア側にアイコン情報を持たせることによって、メディアの構成が可変な場合や互換性のある新しいタイプのメディアが接続された場合でも、メディアに対応するアイコンを表示することが可能であるため、各メディアを容易に識別することができる。
【０１０１】
また、各リムーバブルメディアにおけるルート直下の記録位置にメディア情報ファイルが記録されているため、このメディア情報ファイルの読出しを迅速に行うことができる。これにより、各リムーバブルメディアに対応する文字列やアイコン等を迅速に表示させることができる。
【０１０２】
また、アイコン以外にも、背景画像、カーソル等を各リムーバブルメディアに対応させて表示させることができるため、各リムーバブルメディアを容易に識別することができる。この場合には、背景画像、カーソル等のＵＩのパーツを容易にカスタマイズすることができる。また、Ｊａｖａ等のポータブルな言語で記述されたアプリケーションがアプリケーションファイルに記録されているリムーバブルメディアを画像処理装置１００に接続することによって、このリムーバブルメディアに対応するアプリケーションを自動実行させることができる。さらに、ユーザの好みに応じてアイコンや文字列等を書き換えることができるため、さらに見易いユーザ好みの一覧表示をすることができる。
【０１０３】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１０４】
すなわち、請求項１乃至１０において、画像処理装置は、例えば画像処理装置１００に対応する。また、請求項２０において、画像表示装置は、例えば画像処理装置１００に対応する。また、請求項１１乃至１９において、記録媒体は、例えばリムーバブルメディアＡ（３００）乃至Ｄ（６００）に対応する。
【０１０５】
また、請求項１または請求項２０において、接続手段は、例えばＵＳＢコネクタ１７０またはリムーバブルメディアスロット１８１乃至１８４に対応する。
【０１０６】
また、請求項１、請求項５、請求項１０、請求項２０において、情報読出手段は、例えばＣＰＵ１１０に対応する。
【０１０７】
また、請求項１、請求項４、請求項５、請求項７、請求項９、請求項２０において、描画手段は、例えば画像描画処理部１４０に対応する。
【０１０８】
また、請求項３または請求項６において、操作受付手段は、例えばリモコン１３１に対応する。
【０１０９】
また、請求項３において、表示情報書換手段は、例えばＣＰＵ１１０に対応する。
【０１１０】
また、請求項６において、画像情報書換手段は、例えばＣＰＵ１１０に対応する。
【０１１１】
また、請求項９において、記憶手段は、例えば記憶部１２０に対応する。また、判断手段は、ＣＰＵ１１０に対応する。
【０１１２】
また、請求項１０において、アプリケーション実行手段は、例えばＣＰＵ１１０に対応する。
【０１１３】
また、請求項１１において、情報記録領域は、情報記録領域３０１または４０１に対応する。
【０１１４】
また、請求項１１、１３乃至１６において、表示情報は、例えばメディア情報ファイル３２０または４２０に対応する。
【０１１５】
また、請求項１６乃至１８において、画像情報は、例えばアイコンファイル３５０または４５０、背景画像ファイル４６０、カーソルファイル４７０に対応する。
【０１１６】
また、請求項２０において、表示手段は、例えば画像表示部１５０に対応する。
【０１１７】
また、請求項２１または請求項２２において、情報読出手順は、例えばステップＳ９０２に対応する。また、描画手順は、ステップＳ９０６に対応する。
【０１１８】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１１９】
【図１】画像処理装置１００の機能構成例を示すブロック図、およびリムーバブルメディアＡ（３００）乃至Ｄ（６００）の外観を概略的に示す図である。
【図２】画像表示システムのソフトウェア構造の一例を示す図である。
【図３】リムーバブルメディアＡ（３００）に記録されている各ファイルのファイル構造を概略的に示す図である。
【図４】リムーバブルメディアＡ（３００）に記録されている各種情報の概略を模式的に示す図である。
【図５】リムーバブルメディアＡ（３００）乃至Ｄ（６００）がＵＳＢリーダ／ライタ１８０に接続された場合における画像表示部１５０の表示例を示す図である。
【図６】画像処理装置１００による接続メディア表示処理の処理手順を示すフローチャートである。
【図７】リムーバブルメディアＡ（３００）乃至Ｄ（６００）がＵＳＢリーダ／ライタ１８０に接続された場合における画像表示部１５０の表示例を示す図である。
【図８】リムーバブルメディアＢ（４００）に記録されている各ファイルのファイル構造を概略的に示す図である。
【図９】リムーバブルメディアＢ（４００）に記録されている各種情報の概略を模式的に示す図である。
【図１０】リムーバブルメディアＡ（３００）乃至Ｄ（６００）がＵＳＢリーダ／ライタ１８０に接続された場合における画像表示部１５０の表示例を示す図である。
【図１１】リムーバブルメディアＡ（３００）乃至Ｄ（６００）がＵＳＢリーダ／ライタ１８０に接続された場合における画像表示部１５０の表示例を示す図である。
【図１２】リムーバブルメディアＡ（３００）乃至Ｄ（６００）がＵＳＢリーダ／ライタ１８０に接続された場合における画像表示部１５０の表示例を示す図である。
【符号の説明】
【０１２０】
１００  画像処理装置
１１０  ＣＰＵ
１２０  記憶部
１３０  リモコン信号受信部
１３１  リモコン
１４０  画像描画処理部
１５０  画像表示部
１６０  ＵＳＢホストコントローラ
１７０  ＵＳＢコネクタ
１８０  ＵＳＢリーダ／ライタ
１９０  ＵＳＢケーブル
２１０  メディア情報取得表示アプリケーション
２２０  ファイルシステム
２３０  マスストレージクラスドライバ
２４０  ＵＳＢドライバ
２５０  ホストコントローラドライバ
２６０  ＵＩ描画処理部
３０１  情報記録領域
３２０  メディア情報ファイル
３５０  アイコンファイル
４０１  情報記録領域
４２０  メディア情報ファイル
４５０  アイコンファイル
４６０  背景画像ファイル
４７０  カーソルファイル
４８０  Ｊａｖａアプリケーションファイル
【図１】
2008263389.tif 000003
【図２】
2008263389.tif 000004
【図３】
2008263389.tif 000005
【図４】
2008263389.tif 000006
【図５】
2008263389.tif 000007
【図６】
2008263389.tif 000008
【図７】
2008263389.tif 000009
【図８】
2008263389.tif 000010
【図９】
2008263389.tif 000011
【図１０】
2008263389.tif 000012
【図１１】
2008263389.tif 000013
【図１２】
2008263389.tif 000014